(57)【特許請求の範囲】
【請求項１】
上部旋回体（１０）を、ステップとなる機器フレーム（１２）及び座席支持台（１３）と車体フレーム（１１）により構成し、左右のサイドカバー（１４・１５）及びリアカバー（１６）によって側方及び後方を被装し、内部にエンジン・油圧機器・旋回モーターの内部機器を配置し、前記機器フレーム（１２）と車体フレーム（１１）との間の空間に、油圧機器を収納し、該座席支持台（１３）は、該車体フレーム（１１）後部に載置されたエンジン上方を被装し、該座席支持台（１３）の上部に運転席（３３）を配置した掘削作業機において、前記リアカバー（１６）は、前記座席支持台（１３）の後部において上下に配置し、下部を車体フレーム（１１）の上部まで延設し、前記サイドカバー（１４・１５）は、前記リアカバー（１６）の両側の略同一高さ位置から、前部（１４ａ・１５ａ）を前斜め下方に車体フレーム（１１）の前両側まで延設し、前端を車体フレーム（１１）の前端に形成した立ち上がり部（１１ａ）の側部に位置させ、前記サイドカバー（１４・１５）の後端部（１４ｃ・１５ｃ）を、機体左右中央側に折り曲げて固定部を形成し、該後端部（１４ｃ・１５ｃ）を、前記リアカバー（１６）と重複して配置し、前記運転席（３３）の上方にキャノピー（３６）を配置し、該キャノピー（３６）を構成するフレーム（８０・８０）の前下部に支持部材（８１）を設け、該支持部材（８１）を、前記車体フレーム（１１）の両側に形成した固定部（８３）に載置してボルト固定し、またフレーム（８０・８０）の後下部に支持部材（８２）を設け、該支持部材（８２）を、前記座席支持台（１３）の後端に形成した後面（８４）にボルト固定したことを特徴とする掘削作業機。
【請求項２】
請求項１記載の掘削作業機において、前記車体フレーム（１１）において、ラジエター排気口（９２）が位置する左右一側で、側面視でラジエター排気口（９２）と重なる部分の車体フレーム（１１）に切欠（９３）を設け、該切欠（９３）の開放端側を連結する補強部材（１７）を設けたことを特徴とする掘削作業機。
【請求項３】
請求項２記載の掘削作業機において、前記補強部材（１７）の室内側面（１７ａ）は断面形状を凸曲線上で構成される形状とし、ラジエター側の曲率を大きくした流線形状とし、該補強部材（１７）の室外側面（１７ｂ）は、該車体フレーム（１１）の外面形状に合わせた構成としたことを特徴とする掘削作業機。
【発明の詳細な説明】
【技術分野】
【０００１】
本発明は、パワーショベル等に代表される掘削作業機において、上部旋回体を被装するカバーの構造技術に関する。
【背景技術】
【０００２】
土砂の掘削作業・積み込み作業ができる掘削作業機として、パワーショベルはよく知られている。一般に、パワーショベルはディーゼルエンジンで駆動される油圧ポンプで油圧を発生させ、走行・作業の全ての動作を行なう。また、走行装置はクローラー式走行装置が多く用いられている。パワーショベルの基本構造は、自走できる下部走行体と、その上で３６０度回転できる上部旋回体がベースである。上部旋回体を進行方向に向けたとき、上部旋回体の前方に操縦席と作業装置が配置され、後方にエンジンなどの動力源が配置される。
【０００３】
一般に、パワーショベルの上部旋回体構成は、車体フレーム後部上にエンジン、ラジエター及び油圧ポンプが載置され、車体フレーム前部に油圧機器等が載置される構成とされてきた。例えば、特許文献１は、この構成をベースにした作業機枢支ブラケットを選択的に取り付け可能なパワーショベルを開示している。
【特許文献１】特開２０００−２５７１１４号公報
【発明の開示】
【発明が解決しようとする課題】
【０００４】
しかし、このような一般的な上部旋回体の構成ではエンジン及び油圧機器が狭い空間に配置されているので、従来エンジン及び油圧機器のメンテナンス作業が困難であった。さらに、エンジン及び油圧機器を被装するカバーが５枚以上ある構成が一般的であり（例えば、フレームの左右カバー、ボンネットの左右カバー及びリアカバー）、部品数が多いため製造時には部品コストを費やしていた。さらに、製造時にカバー同士の隙間が極小さくなるように位置を合わせて固定する作業は多大な時間と労力を要した。部品コスト及び製造コストの浪費はすなわち製造コストの浪費である。そこで、解決しようとする課題は、部品数及び製造工数を削減することで製造コストを削減し、メンテナンス性を向上したパワーショベルのカバーを提供することである。
【課題を解決するための手段】
【０００５】
本発明の解決しようとする課題は以上の如くであり、次にこの課題を解決するための手段を説明する。
【０００６】
請求項１においては、上部旋回体（１０）を、ステップとなる機器フレーム（１２）及び座席支持台（１３）と車体フレーム（１１）により構成し、左右のサイドカバー（１４・１５）及びリアカバー（１６）によって側方及び後方を被装し、内部にエンジン・油圧機器・旋回モーターの内部機器を配置し、前記機器フレーム（１２）と車体フレーム（１１）との間の空間に、油圧機器を収納し、該座席支持台（１３）は、該車体フレーム（１１）後部に載置されたエンジン上方を被装し、該座席支持台（１３）の上部に運転席（３３）を配置した掘削作業機において、前記リアカバー（１６）は、前記座席支持台（１３）の後部において上下に配置し、下部を車体フレーム（１１）の上部まで延設し、前記サイドカバー（１４・１５）は、前記リアカバー（１６）の両側の略同一高さ位置から、前部（１４ａ・１５ａ）を前斜め下方に車体フレーム（１１）の前両側まで延設し、前端を車体フレーム（１１）の前端に形成した立ち上がり部（１１ａ）の側部に位置させ、前記サイドカバー（１４・１５）の後端部（１４ｃ・１５ｃ）を、機体左右中央側に折り曲げて固定部を形成し、該後端部（１４ｃ・１５ｃ）を、前記リアカバー（１６）と重複して配置し、前記運転席（３３）の上方にキャノピー（３６）を配置し、該キャノピー（３６）を構成するフレーム（８０・８０）の前下部に支持部材（８１）を設け、該支持部材（８１）を、前記車体フレーム（１１）の両側に形成した固定部（８３）に載置してボルト固定し、またフレーム（８０・８０）の後下部に支持部材（８２）を設け、該支持部材（８２）を、前記座席支持台（１３）の後端に形成した後面（８４）にボルト固定したものである。
【０００７】
請求項２においては、請求項１記載の掘削作業機において、前記車体フレーム（１１）において、ラジエター排気口（９２）が位置する左右一側で、側面視でラジエター排気口（９２）と重なる部分の車体フレーム（１１）に切欠（９３）を設け、該切欠（９３）の開放端側を連結する補強部材（１７）を設けたものである。
【０００８】
請求項３においては、請求項２記載の掘削作業機において、前記補強部材（１７）の室内側面（１７ａ）は断面形状を凸曲線上で構成される形状とし、ラジエター側の曲率を大きくした流線形状と、該補強部材（１７）の室外側面（１７ｂ）は、該車体フレーム（１１）の外面形状に合わせた構成としたものである。
【発明の効果】
【０００９】
本発明の効果として、以下に示すような効果を奏する。
【００１０】
請求項１においては、上部旋回体（１０）を、ステップとなる機器フレーム（１２）及び座席支持台（１３）と車体フレーム（１１）により構成し、左右のサイドカバー（１４・１５）及びリアカバー（１６）によって側方及び後方を被装し、内部にエンジン・油圧機器・旋回モーターの内部機器を配置し、前記機器フレーム（１２）と車体フレーム（１１）との間の空間に、油圧機器を収納し、該座席支持台（１３）は、該車体フレーム（１１）後部に載置されたエンジン上方を被装し、該座席支持台（１３）の上部に運転席（３３）を配置した掘削作業機において、前記リアカバー（１６）は、前記座席支持台（１３）の後部において上下に配置し、下部を車体フレーム（１１）の上部まで延設し、前記サイドカバー（１４・１５）は、前記リアカバー（１６）の両側の略同一高さ位置から、前部（１４ａ・１５ａ）を前斜め下方に車体フレーム（１１）の前両側まで延設し、前端を車体フレーム（１１）の前端に形成した立ち上がり部（１１ａ）の側部に位置させ、前記サイドカバー（１４・１５）の後端部（１４ｃ・１５ｃ）を、機体左右中央側に折り曲げて固定部を形成し、該後端部（１４ｃ・１５ｃ）を、前記リアカバー（１６）と重複して配置したので、掘削機械の上部旋回体を覆うカバーを構造上可能である最小枚数とすることで部品数を削減できる。
【００１１】
また、カバーの部品数が削減したことで、カバー同士の隙間がないように固定する作業を低減し製造工数を削減できる。つまり、部品数の削減及び製造工数の削減により製造コストが削減できる。さらに、一枚のカバーを取り外すのみで構造上最大の内部空間を開放できるので、エンジン及び油圧機器のメンテナンス性を向上できる。
また、リアカバーを開放することで座席支持台の下方に配置されたエンジン全体が開放されるため、エンジンのメンテナンス性を向上している。また、サイドカバーを開放することでエンジン側面及び油圧機器が開放されるため、エンジン及び油圧機器のメンテナンス性を向上している。
【００１２】
また、該運転席（３３）の上方にキャノピー（３６）を配置し、該キャノピー（３６）を構成するフレーム（８０・８０）の前下部に支持部材（８１）を設け、該支持部材（８１）を、前記車体フレーム（１１）の両側に形成した固定部（８３）に載置してボルト固定し、またフレーム（８０・８０）の後下部に支持部材（８２）を設け、該支持部材（８２）を、前記座席支持台（１３）の後端に形成した後面（８４）にボルト固定した簡易な構成にてキャノピー取り付け部の強度が確保できる。
【００１３】
また、キャノピー取り付け部の簡易な構成としたことで、掘削機械の部品数を削減でき、かつ製造時にキャノピー取り付け精度が向上し製造工数を削減できる。つまり、部品数の削減及び製造工数の削減により製造コストが削減できる。
【００１４】
請求項２においては、請求項１記載の掘削作業機において、前記車体フレーム（１１）において、ラジエター排気口（９２）が位置する左右一側で、側面視でラジエター排気口（９２）と重なる部分の車体フレーム（１１）に切欠（９３）を設け、該切欠（９３）の開放端側を連結する補強部材（１７）を設けたので、補強部材を取り外すことでラジエター排気口を開放できるため、ラジエター排気口のメンテナンス性を向上している。また、車体フレームの後方側面輪郭は上部旋回体旋回時に衝突によって破損した場合、車体フレームは一体成形の鋳物製であるため、補修・溶接が困難であり高額な費用がかかる。しかし、補強部材は取り外し可能なため、部品交換のみで修理が可能であり補修費用が低減できる。
【００１５】
請求項３においては、請求項２記載の掘削作業機において、前記補強部材（１７）の室内側面（１７ａ）は断面形状を凸曲線上で構成される形状とし、ラジエター側の曲率を大きくした流線形状と、該補強部材（１７）の室外側面（１７ｂ）は、該車体フレーム（１１）の外面形状に合わせた構成としたので、ラジエターの排気通路に位置する補助部材の断面形状を、曲面を有する形状とすることで、排気の抵抗を減少している。つまりラジエターの放熱性能を向上できる。
【発明を実施するための最良の形態】
【００１６】
次に、発明の実施の形態を説明する。
【００１７】
図１は本発明の実施例に係るパワーショベルの全体的な構成を示した斜視図、図２は同じく上部旋回体の構成要素を示した斜視図である。
【００１８】
図３はリアカバーの取り付け構成の他の実施例を示した斜視図、図４は同じく車体フレームとキャノピーとの取り付けを示した斜視図、図５はラジエターの排気口に被さる車体フレームの別ピースを示した斜視図である。
【００１９】
図６は（ａ）別ピースが車体フレームに取り付けられている状態を示した側面図（ｂ）別ピース単体を示した斜視図及びＡＡ´断面図である。図７はラジエターの排気の流れを示した模式断面図である。なお、運転席３３（図１参照）が前方を向く方向を前方向（図中矢印方向）としている。
【００２０】
図１に示すように、建設機械としてよく知られたパワーショベル５０を本発明の実施例とする。パワーショベル５０は掘削機械として土砂や岩を掘削するための建設機械である。このパワーショベル５０は最も多用されている油圧式ショベルの掘削機械であり、土砂の掘削作業を主目的に、積み込み作業等を行なうことができる。
【００２１】
図１に示すように、パワーショベル５０の全体構成について簡単に説明する。パワーショベル５０は、大まかにはクローラー式走行装置４０、該クローラー式走行装置４０の上部中央に左右旋回可能に支持される上部旋回体１０、該上部旋回体１０の前部左右中央に装着される作業機２０より構成されている。クローラー式走行装置４０は、前後一側にブレード４１を上下回動自在に配設している。このブレード４１は、掘削作業に伴う整地作業を行なう際に使用される。なお、クローラー式走行装置４０は可変ゲージのクローラーを用いることも可能であり、作業時にはクローラーの間隔を広げることで安定性を確保できる。上部旋回体３０の車体フレーム３１の後上部にはエンジン（図示せず）が搭載され、該エンジンの後部はリアカバー１６（図２参照）及び車体フレーム１１により被覆され、両側部はサイドカバー１４・１５により覆われている。該サイドカバー１４・１５の間かつエンジンの上方には座席支持台１３を介して運転席３３が配置されている。運転操作部３５は、運転席３３の前または側部の近傍に操作レバーやロックレバーなどが配置され、運転席３３前方のステップ３４上にペダルなどが配置されることで構成されている。また、運転操作部３５の上方にキャノピー３６又は周囲にキャビンが配設される。作業機２０は、大きくはブーム２１、アーム２２及びバケット２３より構成される。これらの各部材をシリンダー２５ａ・２５ｂ・２５ｃの伸縮駆動により回動可能として、掘削作業や積み込み作業等を行なう。
【００２２】
本発明に係る上部旋回体１０について、図２を用いて詳細に説明する。
上部旋回体１０は大まかに車体フレーム１１、ステップとなる機器フレーム１２及び座席支持台１３等によって構成され、左右のサイドカバー１４・１５及びリアカバー１６によって側方及び後方が被装される。なお、図２では分かり易くするために、内部に配置されるエンジン・油圧機器・旋回モーター等の内部機器は図示していない。
【００２３】
前記車体フレーム１１は凹状に鋳造等により形成され、後部及びその両側は厚みを大きくして上方に高く立ち上げることでカウンターウェイトとし、前部には作業機（ブームブラケット）を取り付けるための支持部を形成している。車体フレーム１１の内部中央にはスイベルジョイント等を挿入するための開口部が設けられ、その前部及び後部に機器フレーム１２等を取り付けるための支持突起が上方に突設されている。開口部の後部にはエンジンや油圧ポンプや作動油タンク等を取り付けるための突起（マウント）が上方に突設されている。こうして車体フレーム１１は鋳造部品で構成して複雑な形状でも形成可能であり、荷重負担が多い部分を幅広にする等して強度を保っている。
【００２４】
前記機器フレーム１２と前記車体フレーム１１との間の空間に作業機２０の駆動を切り換えるコントロールバルブやリリーフバルブ等の油圧機器（図示せず）を収納し、上部に該油圧機器を操作する走行レバーやペダルが配置されている。座席支持台１３は、車体フレーム１１後部に載置されたエンジン上方に設けられている。座席支持台１３上部には、運転席３３が配置され、運転席３３の前または側部の近傍に操作レバーやロックレバーなどが配置される。
【００２５】
本発明に係るサイドカバー１４・１５及びリアカバー１６について、図２及び図３を用いて詳細に説明する。サイドカバー１４・１５は、前記リアカバーの両側の略同一高さ位置から前斜め下方に車体フレームの前両側まで延設して、エンジン、油圧機器を覆う構造として、上部旋回体１０の側面を被装する一体型のカバーである。従来、機器フレーム１２と前記車体フレーム１１との間の側部並びに座席支持台１３と車体フレーム１１との間の側部は、別々のカバーにより覆われていた。すなわち、それぞれ別々のカバーを外すことにより油圧機器のメンテナンスとエンジンのメンテナンスが行われていた。しかし、本発明では従来の前後のカバーを一体的に構成している。サイドカバー１４・１５は、側面視略逆「へ」字状に、前部１４ａ・１５ａを水平に、後部１４ｂ・１５ｂを斜め後上がりの傾斜状に構成している。後端部１４ｃ・１５ｃは平面視Ｌ字状に機体左右方向中央側に折り曲げた形状に構成している。そして、前部１４ａ・１５ａの前端が車体フレーム１１の前端に形成した立ち上がり部１１ａの側部に位置させてボルト等により固定している。後部１４ｂ・１５ｂは車体フレーム１１に載置されせるカウンターウェイト部の上部の形状に合わせて斜め後上方に延設され、側面下部がボルト等により車体フレーム１１に固定される。後端部１４ｃ・１５ｃは車体フレーム１１の後部に形成したカウンターウェイト部の上部に位置し、リアカバー１６の左右端部が重なり、リアカバー１６の内側に位置するように配置して、上部旋回体１０の前端から後端の側部を覆う構造とし、サイドカバー１４・１５の後部の固定部としている。また、サイドカバー１４・１５は、上部旋回体１０の側面を完全に被装することで、内部機器を保護している。こうして、メンテナンス作業を行なう場合は、ボルト等を外すことによってサイドカバー１４・１５を取り外し容易に内部機器のメンテナンス作業を行なうことができる。
【００２６】
リアカバーは上部に回動支点を設けて座席支持台上端部と略同一高さ位置とし、下部を車体フレームの上部まで延設して、上部旋回体１０の後面を被装する一体型のカバーとすることも出来る。すなわち、リアカバー１６は略逆凸状に形成して、下部が車体フレーム１１の後面上部の凹形状に合わせた形状として、左右両側が前記サイドカバー１４・１５の後端部１４ｃ・１５ｃと重複する構成としている。そして、回動支点を上端部に備え、上部旋回体１０にリアカバー１６を取り付けた場合、前記回動支点の位置は座席支持台１３の上端部と略同位置となるように構成されている。また、リアカバー１６は、上部旋回体１０の後面を完全に被装することで、エンジンを保護している。さらに、リアカバー１６は工具なしで開閉可能な構成とされている。エンジンのメンテナンス作業を行なう場合は、開閉することによって容易にエンジンのメンテナンス作業を行なうことができる。
【００２７】
本実施例において、上部旋回体１０の左右側面及び後面は構造上最小である３枚のカバー１４・１５・１６のみにて被装されている。しかし、この構造は、メンテナンス作業を行なうため取り外し可能であること、並びに内部機器が車体フレーム１１、機器フレーム１２及び座席支持台１３より開放される面（側面及び後面）を保護することであるカバー本来の機能を失っていない。カバー１４・１５・１６を構造上最小枚数としたことは、パワーショベル５０の部品数を削減している。また、従来カバーが多いパワーショベル等はカバー同士の隙間がないようにカバーを固定する作業に時間と労力を費やしていたが、カバー枚数を最小としたことで製造・組立工数を削減できる。このように、パワーショベル５０の部品数及び製造工数を削減することで、製造コストを削減できる。さらに、リアカバー１６の回動支点の位置を座席支持台１３の上端部と略同位置にすることでエンジンの後面全体が開放されるので、メンテナンス作業が容易に行なえる。そして、上部旋回体１０側面は一枚のカバー１４・１５を取り外すのみで構造上最大の内部空間を開放できるので、エンジン及び油圧機器のメンテナンス作業が容易に行なえる。
【００２８】
また、図３に示す実施例のように、サイドカバー１４・１５及びリアカバー１６の構成において、サイドカバー１４・１５の後端部とリアカバー１６の左右側端部は、構造上サイドカバー１４・１５がリアカバー１６に被さるように重複する構成とすることも出来る。また、サイドカバー１４・１５の後端部はボルト７１・７２にて座席支持台１３に固定されている（図２参照）。ここで、サイドカバー１４・１５の後端側固定位置すなわちボルト７１・７２の取り付け位置は、サイドカバー１４・１５とリアカバー１６が重複する部分とされている。
【００２９】
通常、メンテナンス作業においてはリアカバー１６を開閉する機会が多いため、リアカバー１６は工具なしでロックレバー等により開閉可能な構造とされている。このことから、本実施例の構成のように、サイドカバー１４・１５を外す際にリアカバー１６を開ける必要がある構造としても何ら問題はない。ここで、サイドカバー１４・１５の後端部を固定するボルト７１・７２がリアカバー１６に被さることで、固定部材となるボルト７１・７２をリアカバー１６により隠すことができて、パワーショベル５０外観の意匠性を向上している。また、両カバーの端部を突き合わせて固定する構成ではなく、サイドカバー１４・１５がリアカバー１６に被さるように重複する構成としたことで、製造時にカバー同士の隙間がないようにカバーを位置調整して固定する作業を要せず製造工数が削減でき、精度を高く保つ必要もなく、コスト低減化が図れる。
【００３０】
図４に示すように、キャノピー３６は、フレーム８０・８０が側面視略門形に折り曲げ形成され、上水平部に天井が形成され、フレーム８０・８０の前下部に支持部材８１が横設され、該支持部材８１の両側が前記車体フレーム１１の立ち上がり部１１ａの両側に形成した固定部８３に載置してボルト等により固定される構成としている。また、フレーム８０・８０の後下部に支持部材８２が横設され、該支持部材８２が座席支持台１３の後端に垂直方向に立ち上げて形成した後面８４にボルト等により固定される。こうして、キャノピー３６が上部旋回体１０に取り付け可能な構成としている。取り付け具はボルトなどが一般的であるが、本実施例では特に限定はしていない。また、支持部材８１・８２は一体的に成形している。このように、パワーショベル５０は車体フレーム１１とキャノピー３６と座席支持台１３により構造体を形成しており、車体フレーム１１とキャノピー３６の前下部を連結固定し、座席支持台１３は車体フレーム１１の後部上に固定し、キャノピー３６の後下部が座席支持台１３の後部上に固定している。そして、座席支持台１３の前下部と立ち上がり部１１ａ上との間に機器フレーム１２が固設されてステップとし、ステップの外側に位置する下側面と座席支持台１３の側部が前記サイドカバー１４・１５で覆う構成としている。
【００３１】
こうして、前記キャノピー取り付け部において、強度を確保したまま取り付けは簡易な構成とされている。キャノピー取り付け部を簡易な構成としたことで、パワーショベル５０の部品数を削減でき、かつ製造時にキャノピー取り付け精度が向上し製造工数を削減できる。つまり、簡単な構成で必要とする剛性が保たれたまま部品数の削減及び製造工数の削減により製造コストが削減できる。
【００３２】
図５に示すように、ラジエター排気口が位置する前記車体フレーム１１の左右一側に、側面視でラジエター排気口９２と重なる部分に切欠９３を設け、該切欠９３の開放端側を連結する補強部材１７を設けている。つまり、車体フレーム１１の右後側面において、ラジエター９１の排気口（または吸込口）９２の吹き出し口と車体フレーム１１が側面視で重なるに部分に切欠９３を設け、該切欠９３の両端部が補強部材１７で連結固定されている。すなわち、ラジエター９１の排気口９２が位置する側の車体フレーム１１の側面に、側面視で排気口９２と重複する部分を切り欠いて切欠９３を形成している。本実施例では側面視三角形状の切欠を形成している。そして、該切欠９３の開放側の端部には固定部９３ａ・９３ｂを形成して、該固定部９３ａ・９３ｂ間を架け渡すように棒状の補強部材１７が横設される。この棒状の補強部材１７は取り付けた状態で、側面視で左側の車体フレーム１１の形状と略一致するように構成される。そして、この切欠９３と補強部材１７により囲まれた空間は網や桟等により覆う構成としている。なお、図５において、破線矢印方向が排気方向である。また、図５において、補強部材１７は分かり易いように車体フレーム１１から分離させている。また、図２、図３に示すように、サイドカバー１５の後部に排気口が開口され、網等で覆う構成としている。
【００３３】
エンジンはシリンダー内部のガス温度が高いので，シリンダーやシリンダーヘッドなどを冷却する必要がある。ラジエター９１は、エンジンを冷却した冷却水が奪った熱を外気に捨てるための放熱器である。このラジエター９１にはたくさんのフィンを設けて熱交換面積を増し放熱量を増加させるとともに，エンジンにより駆動されるファンが設けられる。一方、車体フレーム１１は構造強度を保つために、上部旋回体１０の底部を形成するのみならず側面、前面又は後面の一部も覆う構造としている。本実施例では車体フレーム１１は後側面を一部覆うように一体化した構造とされている。このような構造とした場合、車体フレーム１１の右後方に載置されたラジエター９１の排気口を、車体フレーム１１が覆ってしまう。そこで、車体フレーム１１において、ラジエター９１の排気口に被さる部分を切り欠き、切り欠いた部分のもとの輪郭を形成して補強するように補強部材１７を取り付ける構成とされている。本実施例では、この補強部材１７をボルトにて取り付ける構成としたが、特に限定はしないものとする。
【００３４】
このようにして、本来の車体フレーム１１の構造強度を保ちながらもラジエター排気口９２を塞ぐ面を少なくすることで、ラジエター９１の放熱性能は低下されない。また、補強部材１７を取り外すことでラジエター排気口９２を開放できるため、ラジエター排気口９２の清掃等のメンテナンス作業が容易にできる。さらに、パワーショベル５０が上部旋回体旋回時に後側面が接触し車体フレーム１１の後側面が破損した場合に、補強部材１７の部品交換のみで修理が可能であり補修費用が低減できる。
【００３５】
図６（ａ）には車体フレームに取り付けられた補強部材１７を、図６（ｂ）には該補強部材１７の斜視図及びＡＡ´断面を示している。図６（ａ）及び（ｂ）に示すように、補強部材１７の室内側面１７ａは断面形状を凸曲線上で構成される形状としている。本実施例では、ラジエター側の曲率を大きくしたな流線形状としたが、詳細な形状については特に限定はしない。そして、室外側面１７ｂは車体フレーム１１の外面形状に合わせている。こうして、外観を向上している。以上のように、補強部材１７を車体フレーム１１とは別部材としたことで、補強部材１７の設計自由度が得られた。図７に示すように、本実施例ではこれを踏まえ、補強部材１７の断面を流線形状とすることでラジエター９１の排気抵抗を低減した。本実施例の流線形状は単純な形状ではあるが、流体中においては剥離が少なく空気抵抗が小さいという効果がある。そこで、補強部材１７を通過するラジエターの排気は、補強部材１７を抵抗なく滑らかに避けて（図７中矢印）排気される。このようにして、ラジエター９１の排気をスムーズに行い放熱性能を向上できる。
【図面の簡単な説明】
【００３６】
【図１】本発明の実施例に係るパワーショベルの全体的な構成を示した斜視図。
【図２】同じく上部旋回体の構成要素を示した斜視図。
【図３】リアカバーの取り付け構成の他の実施例を示した斜視図。
【図４】同じく車体フレームとキャノピーとの取り付けを示した斜視図。
【図５】ラジエターの排気口に被さる車体フレームの別ピースを示した斜視図。
【図６】（ａ）別ピースが車体フレームに取り付けられている状態を示した側面図（ｂ）別ピース単体を示した斜視図及びＡＡ´断面図。
【図７】ラジエターの排気の流れを示した模式断面図。
【符号の説明】
【００３７】
１１    車体フレーム
１２    機器フレーム
１３    座席支持台
１４    サイドカバー
１５    サイドカバー
１６    リアカバー
５０    パワーショベル
【図１】
0004527074.tif 000002
【図２】
0004527074.tif 000003
【図５】
0004527074.tif 000004
【図６】
0004527074.tif 000005
【図７】
0004527074.tif 000006
【図３】
0004527074.tif 000007
【図４】
0004527074.tif 000008